(57)【要約】【課題】シャッタ装置を内蔵し、シャッタ装置の固定を簡単な構成で実現できるレンズ鏡筒を提供する。【解決手段】シャッタユニットと、シャッタユニットを固定する固定体とを備えるレンズ鏡筒であって、シャッタユニットは、一部が切り欠かれた円環部を有する平面形状をしており、円環部の底面に係合部を設け、係合部を固定体内に設けた被係合部に係合させ、切り欠かれた部分の近傍でシャッタユニットと固定体とを固定する。【選択図】図３
2009031532.tif 000002
【特許請求の範囲】
【請求項１】
シャッタユニットと、前記シャッタユニットを固定する固定体とを備えるレンズ鏡筒であって、
前記シャッタユニットは、一部が切り欠かれた円環部を有する平面形状をしており、
前記円環部の底面に係合部を設け、前記係合部を前記固定体内に設けた被係合部に係合させ、
前記切り欠かれた部分の近傍で前記シャッタユニットと前記固定体とを固定する、
レンズ鏡筒。
【請求項２】
前記係合部は、フック状の突起体であり、前記被係合部に対してスライドして挿入することにより、係合する、請求項１に記載のレンズ鏡筒。
【請求項３】
前記固定体は、被写体像のぶれを光学的に補正するための補正レンズを固定するものである、請求項１に記載のレンズ鏡筒。
【請求項４】
前記切り欠かれた部分には、前記フォーカスレンズを駆動するためのフォーカス駆動機構を配置する、請求項３に記載のレンズ鏡筒。
【発明の詳細な説明】
【技術分野】
【０００１】
本発明は、シャッタ装置を内蔵したレンズ鏡筒に関する。
【背景技術】
【０００２】
従来、レンズ鏡筒の小型化のために、シャッタ装置のアクチュエーター部を各群間の隙間に配置させるような構成が提案されている。例えば、特許文献１に記載されているように、シャッタ装置のアクチュエーター部を２群レンズの隙間に配置することで光軸方向に対して鏡筒を小型化できるような構成が提案されている。
【０００３】
しかしながらこのような構成の場合、フォーカスレンズを搭載すると外周方向にフォーカス駆動機構（例えばステッピングモーター）が突出し、鏡筒を大型化させてしまう。また２群レンズの枠体が複雑になるため、高精度なズーム機能を損なう可能性が高い。
【０００４】
また、鏡筒内部部品の支持方法として、ネジ締結や係合爪の弾性力を用いた締結方法が提案、実施されているが、部品点数の増加や高精度部品を変形させて係合する危険性があった。
【特許文献１】特開２００５−２５０４３６号公報
【発明の開示】
【発明が解決しようとする課題】
【０００５】
本発明は、シャッタ装置を内蔵し、シャッタ装置の固定を簡単な構成で実現できるレンズ鏡筒を提供することを目的とする。その際、シャッタ装置に取り付けられる部材によって不用意にレンズ鏡筒の外周サイズが大きくなってしまうことを防ぎ、また、シャッタ装置の固定部に余分な外力を与えることなく、少ない部品点数で、レンズ鏡筒を小型化できるものとするのが望ましい。
【課題を解決するための手段】
【０００６】
上記の問題点を解決するために、本発明のレンズ鏡筒は、シャッタユニットと、シャッタユニットを固定する固定体とを備えるレンズ鏡筒であって、シャッタユニットは、一部が切り欠かれた円環部を有する平面形状をしており、円環部の底面に係合部を設け、係合部を固定体内に設けた被係合部に係合させ、切り欠かれた部分の近傍でシャッタユニットと固定体とを固定する。
【発明の効果】
【０００７】
本発明によればシャッタ装置を内蔵し、シャッタ装置の固定を簡単な構成で実現できるレンズ鏡筒を提供可能である。
【発明を実施するための最良の形態】
【０００８】
（実施の形態）
図１は、本発明の実施の形態にかかるレンズ鏡筒１００の分解斜視図である。レンズ鏡筒１００は、１群レンズユニット１１０、２群レンズユニット１２０、シャッタ装置１３０、３群レンズユニット１４０、４群レンズユニット１５０、固定枠１６０、カム筒１７０、固定部材１８０およびフォーカス駆動機構１９０を備える。
【０００９】
１群レンズユニット１１０および２群レンズユニット１２０は、ズームレンズとして作用する。シャッタ装置１３０は３群レンズユニット１４０に支持固定される。なお、ここでのシャッタ装置１３０は絞り機能部も内包する。３群レンズユニット１４０は、像ぶれ補正レンズとして作用する。４群レンズユニット１５０は、フォーカスレンズとして作用する。
【００１０】
固定筒１６０は、直進溝を備え、２群レンズユニット１２０及び３群レンズユニット１４０を光軸方向に進退させるガイドとして作用する。固定筒１６０は光軸中心に回転不能である。
【００１１】
カム筒１７０は、図示しないモーターユニットによって回転する。また、カム筒１７０は側面にカム溝を備え、１群レンズユニット１１０、２群レンズユニット１２０および３群レンズユニット１４０はそれぞれが備えるカムピンを、カム溝に挿入し、溝形状に沿って光軸方向に移動する。固定部材１８０はカメラ本体に固定保持される。
【００１２】
フォーカス駆動機構１９０は、図示しないリードスクリューを備えたステッピングモーターであり、該リードスクリューに、図示しないラックを備えた４群レンズユニット１５０が係合し、モーターの回転によって光軸方向へ移動する。
【００１３】
図２は、本発明の実施の形態にかかるレンズ鏡筒１００の断面図である。フォーカス駆動機構１９０は、固定枠１６０の外周内に配置されている。この場合、シャッタ装置１３０および３群レンズユニット１４０は、単純に円環状の形状にすると、フォーカス駆動機構１９０と光軸方向に干渉する。そこで、本発明では、シャッタ装置１３０および３群レンズユニット１４０が、フォーカス駆動機構１９０と光軸方向に干渉する部分を、逃げる構造とすることでフォーカス駆動機構１９０を、固定枠１６０の外周内に配置可能とし、小型化している。つまり、シャッタ装置１３０の円環形状の一部を切り欠いているのである。
【００１４】
図３は、シャッタ装置１３０および３群レンズユニット１４０の斜視図である。シャッタ装置１３０は、３群レンズユニット１４０に固定されている。シャッタ装置１３０および３群レンズユニット１４０には、フォーカス駆動機構１９０との干渉を回避するため、逃げ部１３１を設けている。該構造とすることで、シャッタ装置１３０および３群レンズユニット１４０の光軸方向の移動を妨げない。
【００１５】
図４は、シャッタ装置１３０の分解斜視図である。シャッタ装置１３０は、ベース部１３３とカバー部１３４を備える。ベース部１３３には、シャッタ羽根駆動のための図示しないアクチュエーターが備えられている。カバー部１３４は、シャッタ羽根等を保持するためにベース部１３３に締結保持される。カバー部１３４は、シャッタ装置１３０を、３群レンズユニット１４０に係合するための係合部１３５を一体に備える。係合部１３５は、シャッタ装置１３０の底面に設ける。これにより、係合部１３５を配置するためのスペースを特別に用意する必要がないので、シャッタ装置１３０の外径を小さくすることができる。
【００１６】
図５は、シャッタ装置１３０を、３群レンズユニット１４０に係合する際の組立て説明図である。３群レンズユニット１４０には、係合部１３５を係合するための被係合部として、係合孔を設ける。シャッタ装置１３０は、カバー部１３４に備えられた係合部１３５を、図示矢印のようにスライドさせて、係合孔に係合させる。
【００１７】
図６は、シャッタ装置１３０を、３群レンズユニット１４０に締結する際の組立て説明図である。カバー部１３４に備えられた係合部１３５を係合した後、さらにカバー部１３４に備えられた円筒突起１３７を３群レンズユニット１４０に備えられた挿入穴１４２に挿入する。シャッタ装置１３０と３群レンズユニット１４０との位置関係は、係合部１３５と係合孔との係合、及び、円筒突起１３７の挿入穴１４２への挿入によって決定される。セルフタップねじ１３６は、係合部１３５と光軸中心を挟んで反対側に、３群レンズユニット１４０に備えられた下穴に対して締結される。
【００１８】
図７は、係合部１３５の断面図である。係合部１３５は、３群レンズユニット１４０に対して図示のように係合される。係合部１３５は、弾性変形を伴うことなく、３群レンズユニットに対して挿入可能である。このため、シャッタ装置１３０に外力を与えることなく組立てが可能である。また、図６に示すように、光軸中心を挟んで反対側に締結部を備えることで、シャッタ装置１３０は、光軸方向に固定される。該構造をとることで、締結箇所を１箇所とすることが可能となり、セルフタップねじ１３６などの部品点数を削減できる。また、係合部１３５は、シャッタユニット１３０に対して、光軸方向に重なる位置に備えられており、外周方向に飛び出すことがない。これによって、シャッタユニット１３０の小型化が可能である。
【００１９】
図８は、カバー部１３４の係合部１３５部分での断面図である。係合部１３５は、該形状を成形するにあたり、金型にスライド構造を用いることがなく、図示の面をパーティングラインとして、型抜きが可能な形状となっている。
【００２０】
なお、シャッタ装置１３０は、本発明のシャッタユニットの一例である。３群レンズユニット１４０は、本発明の固定体の一例である。
【００２１】
また、本実施の形態では、シャッタ装置１３０を３群レンズユニット１４０に固定するようにしたが、これには限定されない。例えば、４群レンズユニット１５０に固定するようにしてもよい。
【００２２】
また、本実施の形態では、シャッタ装置１３０の切り欠いた部分に、フォーカスレンズ駆動機構１９０を配置するようにしたが、本発明はこれには限定されない。例えば、ズームレンズ駆動機構を配置するようにしてもよいし、他の部材を配置するようにしてもよい。
【産業上の利用可能性】
【００２３】
本発明は、シャッタ装置を内蔵した、レンズ鏡筒に適用可能である。具体的には、デジタルカメラ、ムービーなど、又は、これらに用いるレンズ鏡筒などに適用できる。
【図面の簡単な説明】
【００２４】
【図１】本発明の実施の形態にかかるレンズ鏡筒の分解斜視図
【図２】本発明の実施の形態にかかるレンズ鏡筒の断面図
【図３】シャッタ装置および３群レンズユニットの斜視図
【図４】シャッタ装置の分解斜視図
【図５】シャッタ装置を３群レンズユニットに係合する際の組立て説明図
【図６】シャッタ装置を３群レンズユニットに締結する際の組立て説明図
【図７】シャッタ装置および３群レンズユニットの断面図
【図８】カバー部の係合部分での断面図
【符号の説明】
【００２５】
１００    レンズ鏡筒
１１０    １群レンズユニット
１２０    ２群レンズユニット
１３０    シャッタ装置
１３１    逃げ部
１３３    ベース部
１３４    カバー部
１３５    係合部
１３６    セルフタップねじ
１３７    円筒突起
１４０    ３群レンズユニット
１４２    挿入穴
１５０    ４群レンズユニット
１６０    固定筒
１７０    カム筒
１８０    固定部材
１９０    フォーカス駆動機構
【図１】
2009031532.tif 000003
【図２】
2009031532.tif 000004
【図３】
2009031532.tif 000005
【図４】
2009031532.tif 000006
【図５】
2009031532.tif 000007
【図６】
2009031532.tif 000008
【図７】
2009031532.tif 000009
【図８】
2009031532.tif 000010